(57)【要約】【課題】  録画予約とプレイリスト編集とを同時に行なうことのできるデータ記録再生装置を提供すること。【解決手段】  録画予約情報に、プレイリスト結合させるか否かの情報といずれのプレイリストに結合させるかを含める。これにより、録画予約が実行された場合に、プレイリスト結合させる旨の情報が記憶されているか否かを判断し（ステップＳ１２４）、プレイリスト結合させる旨の情報が記憶されていた場合には（ステップＳ１２４においてＹＥＳ）、次に、いずれのプレイリストに結合するかを判断する（ステップＳ１２６）。そして、結合すべきプレイリストに、録画したコンテンツの位置情報を格納する（ステップＳ１２８，ステップＳ１３０）。【選択図】        図７
2006172615.tif 000002
【特許請求の範囲】
【請求項１】
放送信号を受信するための受信手段と、
前記受信手段で受信された前記放送信号に基づくコンテンツを格納するための記録手段とを備え、
前記記録手段は、前記コンテンツを管理するためのコンテンツ管理情報を格納するための第１の領域と、前記コンテンツの録画を予約するための録画予約情報を格納するための第２の領域と、前記コンテンツの再生順序を定義するプレイリストを管理するためのプレイリスト管理情報を格納するための第３の領域とを含み、
前記コンテンツを前記記録手段に録画するための録画手段と、
前記記録手段に格納された前記コンテンツを再生するための再生手段と、
前記プレイリストを作成・編集するためのプレイリスト編集手段とをさらに備え、
前記プレイリスト編集手段は、
前記予約コンテンツの録画予約をする場合に、前記録画予約情報において録画が予約される予約コンテンツをいずれの前記プレイリストに結合させるかを、ユーザからの指示に基づき決定するためのリンク決定手段と、
前記予約コンテンツの録画予約をする場合に、前記予約コンテンツを新たなプレイリストに結合させることを、ユーザからの指示に基づき決定するための新規リンク決定手段とを含み、
前記予約コンテンツが、前記録画手段により前記記録手段に録画された場合、前記予約コンテンツを、前記リンク決定手段または前記新規リンク決定手段により決定された前記プレイリストに結合させるためのプレイリスト結合手段をさらに備え、
前記プレイリスト結合手段は、
新たなプレイリストを作成するための作成手段と、
前記作成手段により前記新たなプレイリストが作成された場合、前記録画予約情報に周期予約情報が含まれているか否かを判断するための判断手段と、
前記判断手段により前記周期予約情報が含まれていると判断された場合に、前記録画予約情報に、前記新たなプレイリストを特定するための情報を書き込むための書き込み手段とを含む、ＤＶＤレコーダ。
【請求項２】
放送信号を受信するための受信手段と、
前記受信手段で受信された前記放送信号に基づくコンテンツを格納するための記録手段とを備え、
前記記録手段は、前記コンテンツを管理するためのコンテンツ管理情報を格納するための第１の領域と、前記コンテンツの録画を予約するための録画予約情報を格納するための第２の領域と、前記コンテンツの再生順序を定義するプレイリストを管理するためのプレイリスト管理情報を格納するための第３の領域とを含み、
前記第３の領域には、前記プレイリストごとに、前記録画予約情報において録画が予約される、結合予定の予約コンテンツを特定するための予約情報を格納するための拡張領域が設けられ、
前記コンテンツを前記記録手段に録画するための録画手段と、
前記記録手段に格納された前記コンテンツを再生するための再生手段と、
前記プレイリストを作成・編集するためのプレイリスト編集手段とをさらに備え、
前記プレイリスト編集手段は、
前記プレイリストの編集の対象を、前記予約コンテンツから選択するための予約コンテンツ選択手段と、
新たに録画予約の対象となる前記予約コンテンツを設定するための録画予約設定手段とを含み、
前記予約コンテンツが、前記録画手段により前記記録手段に録画された場合、前記予約コンテンツを、前記予約情報に基づいて所定の前記プレイリストに結合させるためのプレイリスト結合手段とをさらに備え、
前記プレイリスト結合手段は、前記拡張領域に、前記予約コンテンツの周期予約情報が格納されている場合には、前記周期予約情報に基づいて、次回の前記予約コンテンツの前記予約情報を前記拡張領域に書き込むための書き込み手段を含む、ハードディスクレコーダ。
【請求項３】
放送信号を受信するための受信手段と、
前記受信手段で受信された前記放送信号に基づくコンテンツを格納するための記録手段とを備え、
前記記録手段は、前記コンテンツを管理するためのコンテンツ管理情報を格納するための第１の領域と、前記コンテンツの録画を予約するための録画予約情報を格納するための第２の領域と、前記コンテンツの再生順序を定義するプレイリストを管理するためのプレイリスト管理情報を格納するための第３の領域とを含み、
前記コンテンツを前記記録手段に録画するための録画手段と、
前記記録手段に格納された前記コンテンツを再生するための再生手段と、
前記プレイリストを作成・編集するためのプレイリスト編集手段と、
前記録画予約情報において録画が予約される予約コンテンツが、前記録画手段により前記記録手段に録画された場合、前記予約コンテンツを、所定の前記プレイリストに結合させるためのプレイリスト結合手段とをさらに備える、記録再生装置。
【請求項４】
前記プレイリスト編集手段は、前記予約コンテンツの録画予約をする場合に、前記予約コンテンツをいずれの前記プレイリストに結合させるかを、ユーザからの指示に基づき決定するためのリンク決定手段を含む、請求項３に記載の記録再生装置。
【請求項５】
前記プレイリスト編集手段は、前記予約コンテンツの録画予約をする場合に、前記予約コンテンツを新たなプレイリストに結合させることを、ユーザからの指示に基づき決定するための新規リンク決定手段を含む、請求項３に記載の記録再生装置。
【請求項６】
前記プレイリスト結合手段は、新たなプレイリストを作成するための作成手段を含む、請求項３に記載の記録再生装置。
【請求項７】
前記プレイリスト結合手段は、
前記作成手段により前記新たなプレイリストが作成された場合、前記録画予約情報に周期予約情報が含まれているか否かを判断するための判断手段と、
前記判断手段により前記周期予約情報が含まれていると判断された場合に、前記録画予約情報に、前記新たなプレイリストを特定するための情報を書き込むための書き込み手段とをさらに含む、請求項６に記載の記録再生装置。
【請求項８】
前記プレイリスト編集手段は、前記プレイリストの編集の対象を、前記予約コンテンツから選択するための予約コンテンツ選択手段を含む、請求項３に記載の記録再生装置。
【請求項９】
前記プレイリスト編集手段は、新たに録画予約を設定するための録画予約設定手段を含む、請求項３に記載の記録再生装置。
【請求項１０】
前記第３の領域には、前記プレイリストごとに、結合させる前記予約コンテンツを特定するための予約情報を格納するための拡張領域が設けられる、請求項３に記載の記録再生装置。
【請求項１１】
前記プレイリスト結合手段は、前記拡張領域に、前記予約コンテンツの周期予約情報が格納されている場合には、前記周期予約情報に基づいて、次回の前記予約コンテンツの前記予約情報を前記拡張領域に書き込むための書き込み手段を含む、請求項１０に記載の記録再生装置。
【発明の詳細な説明】
【技術分野】
【０００１】
本発明は、ＤＶＤレコーダ、ハードディスクレコーダ、記録再生装置に関し、特に、プレイリスト編集機能を有するＤＶＤレコーダ、ハードディスクレコーダ、記録再生装置に関する。
【背景技術】
【０００２】
従来より、主にＤＶＤ−ＶＲ（Video Recording）フォーマットで録画された録画済データをもとに、ユーザが再生順序を指定するプレイリスト編集を行なうことのできるプレイリスト編集機能を有するデータ記録装置が存在する。このようなプレイリスト編集を、自動的に行なうことのできる技術が提案されている。
【０００３】
たとえば、特許文献１には、長時間連続録画の際、分割された複数のオリジナルタイトルを１つのプレイリストにまとめることができる映像データ記録再生装置が開示されている。
【０００４】
また、特許文献２には、録画予約に伴なう録画時に、同じ予約ＩＤのコンテンツリンク情報を生成し、そのコンテンツリンク情報にしたがって再生できる記録再生装置が開示されている。
【特許文献１】特開２００３−２４４６１３号公報
【特許文献２】特開２００４−６４６５９号公報
【発明の開示】
【発明が解決しようとする課題】
【０００５】
上記特許文献１に記載の映像データ記録再生装置は、長時間、連続して録画された場合に分割された複数のオリジナルタイトルを自動的に１つのプレイリストとするものであり、個別に録画された複数のオリジナルタイトルを自動的に１つのプレイリストにするものではない。
【０００６】
また、上記特許文献２に記載の記録再生装置は、毎日の予約や毎週の予約などの連続性のある予約に同一の連続予約ＩＤが付与されるため、録画予約時に、連続性のない番組のコンテンツリンク情報を生成することはできない。
【０００７】
本発明は、上記のような問題を解決するためになされたものであって、その目的は、録画予約とプレイリスト編集とを同時に行なうことのできるデータ記録再生装置を提供することである。
【課題を解決するための手段】
【０００８】
この発明のある局面に従うＤＶＤレコーダは、放送信号を受信するための受信手段と、受信手段で受信された放送信号に基づくコンテンツを格納するための記録手段とを備え、記録手段は、コンテンツを管理するためのコンテンツ管理情報を格納するための第１の領域と、コンテンツの録画を予約するための録画予約情報を格納するための第２の領域と、コンテンツの再生順序を定義するプレイリストを管理するためのプレイリスト管理情報を格納するための第３の領域とを含み、コンテンツを記録手段に録画するための録画手段と、記録手段に格納されたコンテンツを再生するための再生手段と、プレイリストを作成・編集するためのプレイリスト編集手段とをさらに備え、プレイリスト編集手段は、予約コンテンツの録画予約をする場合に、録画予約情報において録画が予約される予約コンテンツをいずれのプレイリストに結合させるかを、ユーザからの指示に基づき決定するためのリンク決定手段と、予約コンテンツの録画予約をする場合に、予約コンテンツを新たなプレイリストに結合させることを、ユーザからの指示に基づき決定するための新規リンク決定手段とを含み、予約コンテンツが、録画手段により記録手段に録画された場合、予約コンテンツを、リンク決定手段または新規リンク決定手段により決定されたプレイリストに結合させるためのプレイリスト結合手段をさらに備え、プレイリスト結合手段は、新たなプレイリストを作成するための作成手段と、作成手段により新たなプレイリストが作成された場合、録画予約情報に周期予約情報が含まれているか否かを判断するための判断手段と、判断手段により周期予約情報が含まれていると判断された場合に、録画予約情報に、新たなプレイリストを特定するための情報を書き込むための書き込み手段とを含む。
【０００９】
この発明の他の局面に従うハードディスクレコーダは、放送信号を受信するための受信手段と、受信手段で受信された放送信号に基づくコンテンツを格納するための記録手段とを備え、記録手段は、コンテンツを管理するためのコンテンツ管理情報を格納するための第１の領域と、コンテンツの録画を予約するための録画予約情報を格納するための第２の領域と、コンテンツの再生順序を定義するプレイリストを管理するためのプレイリスト管理情報を格納するための第３の領域とを含み、第３の領域には、プレイリストごとに、録画予約情報において録画が予約される、結合予定の予約コンテンツを特定するための予約情報を格納するための拡張領域が設けられ、コンテンツを記録手段に録画するための録画手段と、記録手段に格納されたコンテンツを再生するための再生手段と、プレイリストを作成・編集するためのプレイリスト編集手段とをさらに備え、プレイリスト編集手段は、プレイリストの編集の対象を、予約コンテンツから選択するための予約コンテンツ選択手段と、新たに録画予約の対象となる予約コンテンツを設定するための録画予約設定手段とを含み、予約コンテンツが、録画手段により記録手段に録画された場合、予約コンテンツを、予約情報に基づいて所定のプレイリストに結合させるためのプレイリスト結合手段とをさらに備え、プレイリスト結合手段は、拡張領域に、予約コンテンツの周期予約情報が格納されている場合には、周期予約情報に基づいて、次回の予約コンテンツの予約情報を拡張領域に書き込むための書き込み手段を含む。
【００１０】
この発明の他の局面に従う記録再生装置は、放送信号を受信するための受信手段と、受信手段で受信された放送信号に基づくコンテンツを格納するための記録手段とを備え、記録手段は、コンテンツを管理するためのコンテンツ管理情報を格納するための第１の領域と、コンテンツの録画を予約するための録画予約情報を格納するための第２の領域と、コンテンツの再生順序を定義するプレイリストを管理するためのプレイリスト管理情報を格納するための第３の領域とを含み、コンテンツを記録手段に録画するための録画手段と、
記録手段に格納されたコンテンツを再生するための再生手段と、プレイリストを作成・編集するためのプレイリスト編集手段と、録画予約情報において録画が予約される予約コンテンツが、録画手段により記録手段に録画された場合、予約コンテンツを、所定のプレイリストに結合させるためのプレイリスト結合手段とをさらに備える。
【００１１】
好ましくは、プレイリスト編集手段は、予約コンテンツの録画予約をする場合に、予約コンテンツをいずれのプレイリストに結合させるかを、ユーザからの指示に基づき決定するためのリンク決定手段を含む。
【００１２】
好ましくは、プレイリスト編集手段は、予約コンテンツの録画予約をする場合に、予約コンテンツを新たなプレイリストに結合させることを、ユーザからの指示に基づき決定するための新規リンク決定手段を含む。
【００１３】
好ましくは、プレイリスト結合手段は、新たなプレイリストを作成するための作成手段を含む。
【００１４】
好ましくは、プレイリスト結合手段は、作成手段により新たなプレイリストが作成された場合、録画予約情報に周期予約情報が含まれているか否かを判断するための判断手段と、判断手段により周期予約情報が含まれていると判断された場合に、録画予約情報に、新たなプレイリストを特定するための情報を書き込むための書き込み手段とをさらに含む。
【００１５】
好ましくは、プレイリスト編集手段は、プレイリストの編集の対象を、予約コンテンツから選択するための予約コンテンツ選択手段を含む。
【００１６】
好ましくは、プレイリスト編集手段は、新たに録画予約を設定するための録画予約設定手段を含む。
【００１７】
好ましくは、第３の領域には、プレイリストごとに、結合させる予約コンテンツを特定するための予約情報を格納するための拡張領域が設けられる。
【００１８】
好ましくは、プレイリスト結合手段は、拡張領域に、予約コンテンツの周期予約情報が格納されている場合には、周期予約情報に基づいて、次回の予約コンテンツの予約情報を拡張領域に書き込むための書き込み手段を含む。
【発明の効果】
【００１９】
本発明によると、録画予約時にプレイリストに統合させることを決定しておくと、録画予約の対象となるコンテンツが録画された場合、自動的にプレイリストに統合することができる。これにより、ユーザは、録画予約とプレイリスト編集とを同時に行なうことが可能となり、予約録画後に対象のコンテンツを指定してプレイリスト編集を行なわなければならないという煩わしさを解消することができる。
【００２０】
また、周期予約をしておくと、一度の設定で、以後自動的に同じプレイリストに統合することができる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態１］
図１を参照して、本発明の実施の形態１に係る記録再生装置の一態様であるＤＶＤレコーダ１００について説明する。図１は、ＤＶＤレコーダ１００のハードウェア構成を表わすブロック図である。
【００２３】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダにおける時刻情報、番組の録画状態等である。
【００２４】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、テレビ４００に映像音声信号を出力するための出力部１６８とを含む。ＤＶＤレコーダ１００は、伝送ケーブル１９２を介してテレビ４００に接続される。ハードディスク装置１４０は、データの記録と再生を行なうデータ記録再生ヘッド１４２と、データが格納されるハードディスク１４４とを含む。
【００２５】
本発明の実施の形態１において、ＤＶＤ１７２には、予約録画情報を管理するための予約録画管理テーブルと、録画されたコンテンツ（映像データ）の情報を管理するためのファイル管理テーブルとが格納されている。また、ファイル管理テーブルは、オリジナル管理テーブルとプレイリスト管理テーブルとを含む（図４参照）。
【００２６】
ここで、これらの管理テーブルのデータ構造について説明する。
【００２７】
図２は、本発明の実施の形態１においてＤＶＤ１７２に格納されている予約録画管理テーブルの内容例を示す図である。
【００２８】
図２を参照して、予約録画管理テーブルは、予約録画管理データＡｉ（ｉ＝１、２、３、…、ｎ）を有する。予約録画管理データＡｉは、録画日付Ｃ１、録画開始時刻Ｃ２、録画終了時刻Ｃ３、チャンネルＣ４、プレイリストフラグＣ５、プレイリスト番号Ｃ６を含む。
【００２９】
ここで、プレイリストフラグＣ５は、予約録画管理データＡｉにより管理されている録画予定のコンテンツが、録画後にプレイリスト結合処理がされるか否かを表わすためのフラグである。本発明の実施の形態１において、またプレイリストフラグＣ５が「ＯＮ」であれば、録画後にプレイリスト編集が実行されることを表わす。プレイリストフラグＣ５が「ＯＦＦ」であれば、録画後にプレイリスト結合処理が実行されないことを表わす。
【００３０】
また、プレイリスト番号Ｃ６は、プレイリストフラグＣ５が「ＯＮ」のときに、プレイリスト管理テーブルに格納されているプレイリスト番号（Ｐ１〜Ｐｎ）もしくは、新規のプレイリストを表わす「Ｐ０」が格納される。
【００３１】
なお、予約録画管理データＡｉに含まれるデータは上記Ｃ１〜Ｃ６に限られず、画像の質を表わすデータなどを含んでよい。また、ＥＰＧ（Electric Program Guide）を利用して録画予約されるものであってもよい。
【００３２】
図３は、本発明の実施の形態１においてＤＶＤ１７２に格納されているファイル管理テーブルに含まれるオリジナル管理テーブルの内容例を示す図である。
【００３３】
図３を参照して、オリジナル管理テーブルは、録画されたコンテンツを特定するための情報をタイトルごとに管理するタイトル管理データＢｊ（ｊ＝１、２、３、…、ｍ）を有する。
【００３４】
タイトル管理データＢｊは、対応のコンテンツを特定するための情報として、録画日付Ｄ１、録画開始時刻Ｄ２、録画終了時刻Ｄ３、チャンネルＤ４、開始アドレスＤ５、終了アドレスＤ６を含む。
【００３５】
タイトル管理データＢｊは、時間順に管理される。したがって、通常、ＤＶＤ１７２を再生すると、タイトル管理データＢｊの順序に従って再生される。
【００３６】
図４は、本発明の実施の形態１においてＤＶＤ１７２に格納されているファイル管理テーブルに含まれるプレイリスト管理テーブルについて説明するための図である。
【００３７】
図４を参照して、プレイリスト管理テーブルは、プレイリストＰ１〜Ｐｎを有する。プレイリストＰ１〜Ｐｎの各々は、プレイリストタイトル名ｐＴと、プレイデータｐ１〜ｐｎを有する。プレイデータｐ１〜ｐｎは、オリジナル管理テーブルにおいて管理されるコンテンツの位置情報を表わしており、プレイデータｐ１〜ｐｎの順序にしたがって再生される。したがって、実映像データ（コンテンツ）に影響を与えることなく自在に再生順序を定義することができる。以下、プレイリストＰ１〜Ｐｎを総称して「プレイリストＰ」、プレイデータｐ１〜ｐｎを総称して「プレイデータｐ」と記す。
【００３８】
図５は、本発明の実施の形態１においてシステム制御回路１１０が実行する録画予約設定処理の流れを示すフローチャートである。この処理は、たとえば、ユーザによりリモコン等を用いて録画予約の設定がなされたときに開始される処理である。
【００３９】
初めに、システム制御回路１１０は、ＤＶＤ駆動装置１７０に制御信号を送信して、録画予約管理データＡｉに、録画に必要な情報を書き込ませる（ステップＳ１０２）。ここで、録画予約に必要な情報とは、図２のＣ１からＣ４までに示す情報、すなわち、録画日付（Ｃ１）、録画開始時刻（Ｃ２）、録画終了時刻（Ｃ３）、および、チャンネル（Ｃ４）を示す情報である。
【００４０】
次にシステム制御回路１１０は、受光部１２４からの信号により、プレイリスト選択がなされたか否かを判断する（ステップＳ１０４）。ステップＳ１０４において、システム制御回路１１０は、プレイリスト選択がなされたと判断した場合（ステップＳ１０４においてＹＥＳ）、ステップＳ１０６に処理を移行する。ステップＳ１０６において、受光部１２４からの信号により、新規プレイリストが選択されたか否かを判断する。受光部１２４からの信号により、新規プレイリストが選択されたと判断した場合（ステップＳ１０６においてＹＥＳ）、ＤＶＤ駆動装置１７０に制御信号を送信して、録画予約管理データＡｉのプレイリストフラグＣ５をＯＮにし（ステップＳ１０８）、一連の録画予約設定処理を終了する。
【００４１】
また、受光部１２４からの信号により、新規プレイリストが選択されなかったと判断した場合（ステップＳ１０６においてＮＯ）、ＤＶＤ駆動装置１７０に制御信号を送信して、プレイリストフラグＣ５をＯＮにし、選択されたプレイリスト番号を領域Ｃ６に書き込む（ステップＳ１１０）。これにより、一連の録画予約設定処理を終了する。
【００４２】
一方、ステップＳ１０４において、システム制御回路１１０が、プレイリスト選択がなされなかったと判断した場合（ステップＳ１０４においてＮＯ）、この録画予約設定処理を終了する。なお、プレイリストフラグＣ５ははじめ「ＯＦＦ」が格納されているものとする。したがって、プレイリスト選択がなされなかった場合、そのまま「ＯＦＦ」が格納されることとなる。
【００４３】
図６は、録画予約が設定される際に、テレビ４００に表示される画面の具体例を示す図である。図６（ａ）を参照して、テレビ４００の表示領域６１には録画に必要な情報の入力を受け付けるための部分領域が表示される。具体的には、録画日付、録画開始時刻、録画終了時刻、チャンネルの情報を入力するための部分領域が表示される。また、テレビ４００にはプレイリストを選択するためのボタン６２と録画予約の設定を終了するためのボタン６３とが表示される。ユーザにより、表示領域６１に示した録画に必要な情報の入力が終了すると、ボタン６２もしくはボタン６３のいずれかが選択される。
【００４４】
ユーザにより、ボタン６２が選択された場合には（図５のステップＳ１０４においてＹＥＳ）、図６（ｂ）に示す画面に移行される。図６（ｂ）を参照して、テレビ４００の表示領域６６には、図４に示したプレイリスト管理テーブルに格納されているプレイリストＰ１〜Ｐｎのプレイリストタイトル名が表示される。また、テレビ４００の表示領域６７には「Ｐ０、新規」が表示される。
【００４５】
図６（ｂ）の表示領域６７に示された「Ｐ０、新規」が選択されると（ステップＳ１０６においてＹＥＳ）、プレイリストフラグＣ５には「ＯＮ」が格納される（ステップＳ１０８）。また、表示領域６６に表示されたプレイリストＰ１〜Ｐｎのプレイリストタイトル名ｐＴのうちいずれかが選択されると、（ステップＳ１０６においてＮＯ）、プレイリストフラグＣ５には「ＯＮ」が格納され、選択されたプレイリスト番号（Ｐ１〜Ｐｎのいずれか）が領域Ｃ６に格納される（ステップＳ１１０）。
【００４６】
このように、録画予約の設定時に、結合させるプレイリストＰを選択できる。したがって、予約時に、後にプレイリスト編集することが分かっている場合などに、一度に録画予約とプレイリスト編集とを済ませることができ、ユーザによる操作の簡素化を図ることができる。
【００４７】
次に、このようにして設定された予約録画が実行されることにより、プレイリスト結合処理がなされる手順について説明する。
【００４８】
図７は、本発明の実施の形態１においてシステム制御回路１１０が実行するプレイリスト結合処理の流れを示すフローチャートである。図７に示す処理は、たとえば計時回路１２６からの信号に基づき、図２の予約録画管理データＡｉに格納されている録画開始時刻Ｃ２になったことをシステム制御回路１１０が検知した場合に開始される処理である。
【００４９】
はじめに、システム制御回路１１０は、予約録画処理を実行する（ステップＳ１２２）。具体的には、ＤＶＤ駆動装置１７０を駆動させて、アンテナ１９０を介して受信される放送信号に基づく映像データ（コンテンツ）を、ＤＶＤ１７２に記録させる。また、図３に示したタイトル管理データＢｊに、記録している映像データを特定するための情報（Ｄ１〜Ｄ６）を格納させる。
【００５０】
ステップＳ１２２の処理が終了すると、システム制御回路１１０は、予約録画管理データＡｉのプレイリストフラグＣ５がＯＮか否かを判断する（ステップＳ１２４）。システム制御回路１１０は、プレイリストフラグＣ５がＯＮであると判断した場合（ステップＳ１２４においてＹＥＳ）、領域Ｃ６にプレイリスト番号（Ｐ１〜Ｐｎ）が格納されているか否かをさらに判断する（ステップＳ１２６）。
【００５１】
ステップＳ１２６において、システム制御回路１１０は、領域Ｃ６にプレイリスト番号が格納されていると判断した場合（ステップＳ１２６においてＹＥＳ）、そのプレイリスト番号のプレイリストＰに、ステップＳ１２２において記録されたコンテンツを特定するためのプレイデータｐを追加する（ステップＳ１２８）。具体的には、タイトル管理データＢｊの開始アドレスＤ５および終了アドレスＤ６に表わされるコンテンツを特定するための位置情報をプレイデータｐとして追加する。このステップＳ１２８の処理を終了すると、一連のプレイリスト結合処理を終了する。
【００５２】
ステップＳ１２６において、システム制御回路１１０は、予約録画管理データＡｉの領域Ｃ６にプレイリスト番号（Ｐ１〜Ｐｎ）が格納されていないと判断した場合（ステップＳ１２６においてＮＯ）、新規プレイリストＰを作成し、ステップＳ１２２において記録された映像データ（オリジナルタイトル）を特定するためのプレイデータｐを作成する（ステップＳ１３０）。具体的には、図４のプレイリスト管理テーブルにプレイリストＰを追加し、タイトル管理データＢｊの開始アドレスＤ５および終了アドレスＤ６に表わされるコンテンツを特定するための位置情報を含むプレイデータｐを生成する。このステップＳ１３０の処理を終了すると、一連のプレイリスト結合処理を終了する。
【００５３】
一方、ステップＳ１２４において、システム制御回路１１０は、予約録画管理データＡｉのプレイリストフラグＣ５がＯＮでないと判断した場合（ステップＳ１２４においてＮＯ）、このプレイリスト結合処理を終了する。
【００５４】
以上、実施の形態１において、ＤＶＤ１７２に録画される場合について説明したが、ハードディスク１４４に適用することもできる。また、ハードディスク１４４に録画されたコンテンツが上記のようなプレイリスト結合処理がなされるた場合、プレイリスト管理テーブルごとＤＶＤ１７２にダビングすることが可能であるため、ダビング後にプレイリスト編集を行なわなくてはならないという煩わしさを解消することができる。
【００５５】
（変形例）
次に、図８および図９を用いて、本発明の実施の形態１の変形例について説明する。
【００５６】
実施の形態１の変形例に係る記録再生装置についても、上記実施の形態１と同様にＤＶＤレコーダ１００を用いて説明する。したがって、実施の形態１の変形例に係るＤＶＤレコーダ１００のハードウェア構成および各動作についても実施の形態１と同様であるのでその説明は繰り返さない。
【００５７】
実施の形態１の変形例では、録画予約設定の際に、周期的に録画を行なう場合に、録画されたタイトルを結合してプレイリストを作成するための設定項目を設ける。
【００５８】
図８は、実施の形態１の変形例においてＤＶＤ１７２に格納されている予約録画管理テーブルの内容例を示す図である。
【００５９】
図８を参照して、予約録画管理テーブルは、実施の形態１と同様に予約録画管理データＡ’ｉ（ｉ＝１、２、３、…、ｎ）を有する。予約録画管理データＡ’ｉは、録画日付Ｃ１、録画開始時刻Ｃ２、録画終了時刻Ｃ３、チャンネルＣ４、プレイリストフラグＣ５、プレイリスト番号Ｃ６に加え、周期予約データＣ１’を含む。
【００６０】
周期予約データＣ１’は、連続録画予約の周期を特定するためのデータである。実施の形態１の変形例において、周期予約データＣ１’にはたとえば「０」〜「９」が格納される。それぞれの数字が表わす周期をたとえば次のようにする。
【００６１】
０：単発（周期予約をしない）、１：毎週月曜、２：毎週火曜、３：毎週水曜、４：毎週木曜、５：毎週金曜、６：毎週土曜、７：毎週日曜、８：毎週月曜〜金曜、９：毎週月曜〜土曜。
【００６２】
このような周期予約の情報についても、録画に必要な情報として図５のステップＳ１０２に示した処理において録画予約管理データＡ’ｉの周期予約データＣ１’に書き込まれる。
【００６３】
次に、実施の形態１の変形例において予約録画が実行されることにより、プレイリスト結合処理（プレイリスト編集）がなされる手順について説明する。
【００６４】
図９は、実施の形態１の変形例においてシステム制御回路１１０が実行するプレイリスト結合処理の流れを示すフローチャートである。図９に示す処理は、たとえば計時回路１２６からの信号に基づき図８の予約録画管理データＡ’ｉに格納されている録画開始時刻Ｃ２になったことをシステム制御回路１１０が検知した場合に開始される処理である。
【００６５】
なお、ステップＳ１２２〜ステップＳ１３０までの処理は実施の形態１において説明した処理に相当するのでここでは説明を省略する。
【００６６】
システム制御回路１１０は、ステップＳ１３０の処理を終了すると、予約録画管理データＡ’ｉの周期予約データＣ１’が「０」か否かを判断する（ステップＳ１３２）。周期予約データＣ１’が「０」であると判断した場合（ステップＳ１３２においてＹＥＳ）、一連のプレイリスト結合処理を終了する。
【００６７】
一方、周期予約データＣ１’が「０」でないと判断した場合（ステップＳ１３２においてＮＯ）、システム制御回路１１０は、ＤＶＤ駆動装置１７０に制御信号を送信して、予約録画管理データＡ’ｉのブランクであったプレイリスト番号Ｃ６に、ステップＳ１３０で作成したプレイリストの番号を書き込ませる（ステップＳ１３４）。ステップＳ１３４の処理を終了すると、一連のプレイリスト結合処理を終了する。
【００６８】
このように、録画予約時に、周期予約を設定し、さらに、新規プレイリストを作成することを設定した場合、予約録画が終了すると、自動的に新規プレイリストのプレイリスト番号を予約録画管理データＡ’ｉの領域Ｃ６に書き込まれる。したがって、以後は、予約録画されると、自動的に領域Ｃ６に書き込まれたプレイリスト番号のプレイリストＰに結合される。これにより、新たなシリーズを録画予約したい場合、一度の操作でプレイリスト結合させることができ、後のプレイリスト編集を省略することができる。
【００６９】
なお、本発明の実施の形態において、本発明にかかるデータ記録装置は、ハードディスク装置１４０およびＤＶＤ駆動装置１７０の両方を含む構成としたが、ハードディスク装置１４０だけであってもかまわないし、ＤＶＤ駆動装置１７０だけであってもかまわない。
【００７０】
［実施の形態２］
次に、本発明の実施の形態２について説明する。なお、実施の形態２に係る記録再生装置についても、上記実施の形態１と同様にＤＶＤレコーダ１００を用いて説明する。したがって、実施の形態２に係るＤＶＤレコーダ１００のハードウェア構成および各動作についても実施の形態１と同様であるのでその説明は繰り返さない。
【００７１】
実施の形態１では、録画予約を設定する際に、結合するプレイリストを決定するものであったが、実施の形態２では、プレイリストの編集をする際に、プレイリストに結合させるための録画予約の情報を設定するものである。なお、実施の形態１に係る発明は、ＤＶＤ１７２およびハードディスク１４４のいずれに録画しても適用可能であったが、実施の形態２に係る発明は、ハードディスク１４４に録画するものに限定される。したがって、実施の形態２における記録再生装置として、ハードディスク装置１４０およびＤＶＤ駆動装置１７０の両方を含む構成としたが、ハードディスク装置１４０だけで構成されるハードディスクレコーダであってもよい。
【００７２】
図１０は、本発明の実施の形態２においてハードディスク１４４の管理領域に格納されている予約録画管理テーブルの内容例を示す図である。
【００７３】
図１０を参照して、予約録画管理テーブルは、予約録画管理データＡ”ｉ（ｉ＝１、２、３、…、ｎ）を有する。予約録画管理データＡ”ｉは、録画日付Ｃ１、周期予約データＣ１’、録画開始時刻Ｃ２、録画終了時刻Ｃ３、チャンネルＣ４を含む。実施の形態２における予約録画管理データＡ”ｉは、実施の形態１およびその変形例と比べてプレイリストフラグＣ５およびプレイリスト番号Ｃ６を含まない点で異なる。
【００７４】
図１１は、本発明の実施の形態２においてハードディスク１４４の管理領域に格納されているファイル管理テーブルに含まれるプレイリスト管理テーブルについて説明するための図である。なお、ファイル管理テーブルに含まれるオリジナル管理テーブルについては、実施の形態１の図３に示したオリジナル管理テーブルと同じであるとして以下説明する。
【００７５】
図１１を参照して、実施の形態２におけるプレイリスト管理テーブルも、プレイリストＰ１〜Ｐｎを有するものとする。プレイリストＰ１〜Ｐｎの各々は、プレイリストタイトル名ｐＴと、プレイデータｐ１〜ｐｎとに加え、拡張テーブルｐＥをさらに有する。
【００７６】
この拡張テーブルには、予約録画管理データＡ”ｉに格納される録画予約情報Ｃ１〜Ｃ４と同じ情報、すなわち、録画日付Ｃ１、周期予約データＣ１’、録画開始時刻Ｃ２、録画終了時刻Ｃ３、チャンネルＣ４が格納される。
【００７７】
図１２は、実施の形態２においてシステム制御回路１１０が実行するプレイリスト編集処理の流れを示すフローチャートである。この処理は、たとえばユーザによりリモコン等を用いてプレイリスト編集の選択がなされた場合に開始される処理である。
【００７８】
初めに、システム制御回路１１０は、たとえば受光部１２４からの信号より、プレイリストの番号（Ｐ１〜Ｐｎ）が選択されたことを検知する（ステップＳ２０２）。次に、システム制御回路１１０は、受光部１２４からの信号より、「予約」が選択されたか否かを判断する（ステップＳ２０４）。システム制御回路１１０は、「予約」が選択されたことを検知した場合（ステップＳ２０４においてＹＥＳ）、その予約が新規予約か否かを判断する（ステップＳ２０６）。
【００７９】
ステップＳ２０６において、新規予約であると判断した場合（ステップＳ２０６においてＹＥＳ）、システム制御回路１１０は、予約入力を受付ける（ステップＳ２０８）。続いて、ステップＳ２０８の処理が終了すると、システム制御回路１１０は、ハードディスク装置１４０に制御信号を送信し、予約録画管理テーブルに予約録画管理データＡ”（ｎ＋１）を追加する（ステップＳ２１２）。このとき、システム制御回路１１０は、録画予約情報Ｃ１〜Ｃ４を予約録画管理データＡ”（ｎ＋１）に書き込ませる。一方、ステップＳ２０６において、新規予約でないと判断した場合（ステップＳ２０６においてＮＯ）、予約録画管理テーブルに格納されている既存の予約録画管理データＡ”ｉを、受光部１２４からの信号により選択する（ステップＳ２１０）。
【００８０】
システム制御回路１１０は、ステップＳ２１２またはステップＳ２１０に示した処理を終了すると、ステップＳ２０２において選択されたプレイリストＰに含まれる拡張テーブルｐＥに録画予約情報Ｃ１〜Ｃ４に示す情報を書き込む（ステップＳ２１４）。
【００８１】
一方、ステップＳ２０４において、システム制御回路１１０は、「予約」が選択されていないと判断された場合（ステップ２０４においてＮＯ）、一般のプレイリスト処理を実行する（ステップＳ２１８）。ここで、一般のプレイリスト処理とは、公知のプレイリスト処理であり、録画済コンテンツからプレイリストの編集を行なう処理をいう。
【００８２】
ステップＳ２１４またはステップＳ２１８に示す処理が終了すると、システム制御回路１１０は、プレイリスト編集が終了したか否かを判断する（ステップＳ２１６）。プレイリスト編集が終了していないと判断された場合（ステップＳ２１６においてＮＯ）、ステップＳ２０２に戻り、上述の処理を繰り返す。一方、プレイリスト編集が終了したと判断した場合（ステップＳ２１６においてＹＥＳ）、この一連のプレイリスト編集処理を終了する。
【００８３】
図１３は、プレイリスト編集がなされる際に、テレビ４００に表示される画面の具体例を示す図である。図１３（ａ）を参照して、プレイリスト編集のメニューをユーザが選択すると、テレビ４００の表示領域１３１には、プレイリスト管理テーブルに格納されているプレイリストＰ１〜Ｐｎのプレイリストタイトル名ｐＴが表示される。たとえば、図１３（ａ）の表示領域１３に示されたプレイリストＰ１〜ＰｎのうちプレイリストＰ１（ｐＴ：ドラマＡシリーズ）が選択された場合、図１３（ｂ）に示すような画面が表示される。
【００８４】
図１３（ｂ）を参照して、表示領域１３２にはプレイリストＰ１のプレイデータｐを示す情報が表示される。たとえば、プレイリストＰ１が２つのプレイデータｐ１，ｐ２を有している場合、２つのブロックが表示される。また、表示領域１３３には、録画済コンテンツの一覧が表示される。録画済コンテンツは、図３で示したタイトル管理データＢｊ（Ｂ１〜Ｂｍ）で管理されるため、それらの情報が表示される。また、表示領域１３４には、「Ｂｘ：新規予約」が表示され、表示領域１３５には、「Ｂｙ：既存予約」が表示される。
【００８５】
ここで、たとえば表示領域１３４に示した「Ｂｘ：新規予約」が選択された場合（ステップＳ２０４でＹＥＳ，ステップＳ２０６でＹＥＳ）、図１３（ｃ）に示すような画面が表示される。
【００８６】
図１３（ｃ）を参照して、表示領域１３２には、プレイデータｐ１およびｐ２に加え、録画予約の対象のコンテンツをプレイデータとすることを示す「予」がたとえば破線のブロック内に表示される。また、表示領域１３４には、録画に必要な情報の入力を受け付けるための部分領域が表示される。具体的には、録画日付、周期、録画開始時刻、録画終了時刻、チャンネルの情報を入力するための部分領域が表示される。
【００８７】
なお、図１３（ｂ）の表示領域１３５に示した「Ｂｙ：既存予約」が選択された場合（ステップＳ２０４でＹＥＳ，ステップＳ２０６でＮＯ）には、図１３（ｃ）の表示領域１３４には、既存の録画予約管理データＡ”ｉ（Ａ”１〜Ａ”ｎ）に格納された録画予約情報が表示されるものとする。
【００８８】
このように、実施の形態２では、プレイリスト編集の際に、録画予定のコンテンツを選択することができる。これにより、録画後に改めてプレイリスト編集を行なう必要がなくなり、ユーザによる操作の簡素化を図ることができる。また、プレイリスト編集の際に、録画予約を行なうことも可能となり、さらに操作性を向上することができる。
【００８９】
図１４は、本発明の実施の形態２においてシステム制御回路１１０が実行するプレイリスト結合処理の流れを示すフローチャートである。図１４に示す処理は、計時回路１２６からの信号に基づき図１０の予約録画管理データＡ”ｉに格納されている録画開始時刻Ｃ２になったことをシステム制御回路１１０が検知した場合に開始される処理である。
【００９０】
はじめに、システム制御回路１１０は、予約録画処理を実行する（ステップＳ２２２）。具体的には、ハードディスク装置１４０に制御信号を送信し、アンテナ１９０を介して受信される放送信号に基づく映像データをハードディスク１４４に記録させる。また、タイトル管理データＢｊに、記録している映像データを特定するための情報（Ｄ１〜Ｄ６）を格納させる。
【００９１】
次に、システム制御回路１１０は、プレイリスト管理テーブルに格納されているプレイリストＰの拡張テーブルｐＥを参照する（ステップＳ２２４）。そして、ステップＳ２２２において予約録画処理がなされた予約録画管理データＡ”ｉにおける録画予約情報Ｃ１〜Ｃ４と同じ情報が拡張テーブルｐＥに格納されているか否かを順に判断する（ステップＳ２２６）。拡張テーブルｐＥの録画予約情報Ｃ１〜Ｃ４が一致していると判断した場合（ステップＳ２２６においてＹＥＳ）、その拡張テーブルｐＥが格納されているプレイリストＰに、ステップＳ２２２において記録されたコンテンツを特定する位置情報を有するプレイデータｐを追加する（ステップＳ２２８）。
【００９２】
次に、システム制御回路１１０は、そのプレイリストＰの拡張テーブルｐＥの周期予約データＣ１’が「０」であるか否かを判断する（ステップＳ２３０）。周期予約データＣ１’が「０」であると判断された場合（ステップＳ２３０においてＹＥＳ）、拡張テーブルｐＥを初期化する（ステップＳ２３２）。一方、周期予約データＣ１’が「０」でないと判断された場合（ステップＳ２３０においてＮＯ）、その周期予約データＣ１’の番号から次回の録画予約情報Ｃ１〜Ｃ４を拡張テーブルｐＥに書き込む（ステップＳ２３４）。
【００９３】
一方、ステップＳ２２６において録画予約情報Ｃ１〜Ｃ４が一致するプレイリストＰは存在しないと判断した場合（ステップＳ２２６においてＮＯ）、システム制御回路１１０は、このプレイリスト結合処理を終了する。
【００９４】
このように、プレイリスト編集時に、周期予約を設定した場合、予約録画が終了すると、自動的に次回の録画予約情報Ｃ１〜Ｃ４を自動的に拡張テーブルｐＥに書き込む。したがって、一度の操作で以後のコンテンツをプレイリスト結合させることが可能となる。
【００９５】
なお、プレイリストに拡張テーブルｐＥを設けて録画予約情報Ｃ１〜Ｃ４を格納することとしたが、プレイリストとは別の記憶領域を設けることとしてもよい。また、拡張テーブルｐＥには１回分の録画予約情報Ｃ１〜Ｃ４のみを格納することとしたが、複数回分が格納されることとしてもよい。
【００９６】
また、実施の形態２では、新規プレイリストを作成する場合についての説明は省略したが、プレイリスト編集の際に、新規プレイリストを選択して、録画予約を設定することもできる。
【００９７】
また、本発明の記録再生装置が行なう、予約録画設定方法、プレイリスト編集方法、およびプレイリスト結合方法を、プログラムとして提供することもできる。このようなプログラムは、コンピュータに付属するフレキシブルディスク、ＣＤ−ＲＯＭ（Compact Disc-ROM）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９８】
提供されるプログラム製品は、ハードディスクなどのプログラム格納部にインストールされて実行される。なお、プログラム製品は、プログラム自体と、プログラムが記録された記録媒体とを含む。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１００】
【図１】本発明の実施の形態１に係るＤＶＤレコーダのハードウェア構成を表わすブロック図である。
【図２】本発明の実施の形態１における予約録画管理テーブルの内容例を示す図である。
【図３】本発明の実施の形態１におけるファイル管理テーブルに含まれるオリジナル管理テーブルの内容例を示す図である。
【図４】本発明の実施の形態１におけるファイル管理テーブルに含まれるプレイリスト管理テーブルについて説明するための図である。
【図５】本発明の実施の形態１においてシステム制御回路が実行する録画予約設定処理の流れを示すフローチャートである。
【図６】録画予約が設定される際の画面表示例を示す図である。
【図７】本発明の実施の形態１においてシステム制御回路が実行するプレイリスト結合処理の流れを示すフローチャートである。
【図８】本発明の実施の形態１の変形例における予約録画管理テーブルの内容例を示す図である。
【図９】本発明の実施の形態１の変形例においてシステム制御回路が実行するプレイリスト結合処理の流れを示すフローチャートである。
【図１０】本発明の実施の形態２における予約録画管理テーブルの内容例を示す図である。
【図１１】本発明の実施の形態２におけるファイル管理テーブルに含まれるプレイリスト管理テーブルについて説明するための図である。
【図１２】本発明の実施の形態２においてシステム制御回路が実行するプレイリスト編集処理の流れを示すフローチャートである。
【図１３】プレイリスト編集がなされる際の画面表示例を示す図である。
【図１４】本発明の実施の形態２においてシステム制御回路が実行するプレイリスト結合処理の流れを示すフローチャートである。
【符号の説明】
【０１０１】
１００  ＤＶＤレコーダ、１１０  システム制御回路、１１２  メモリ、１１４  ＯＳＤ画像生成回路、１２２  操作部、１２４  受光部、１２６  計時回路、１２８  表示部、１２９  電源部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、１９２  伝送ケーブル、４００  テレビ。
【図１】
2006172615.tif 000003
【図２】
2006172615.tif 000004
【図３】
2006172615.tif 000005
【図４】
2006172615.tif 000006
【図５】
2006172615.tif 000007
【図６】
2006172615.tif 000008
【図７】
2006172615.tif 000009
【図８】
2006172615.tif 000010
【図９】
2006172615.tif 000011
【図１０】
2006172615.tif 000012
【図１１】
2006172615.tif 000013
【図１２】
2006172615.tif 000014
【図１３】
2006172615.tif 000015
【図１４】
2006172615.tif 000016